(57)【要約】【課題】ディスクトレイのローディング動作に節度を持たせることによって、ディスクトレイのローディング動作の終了を目で見て明確に確認することができるようにする。ディスクに対するクランプ動作の安定性を向上させる。【解決手段】ディスクトレイ１０のローディング動作に、クランプ機構の動作を制御するスライダ４０の横行動作を連動させる。クランプ機構がディスクをクランプしたときに、スライダ４０の突起３０がディスクトレイ１０の係止溝部２５に嵌合してディスクトレイ１０の後退を阻止する。筐体５０に弾性体６０を固着し、弾性体６０の押し戻し力によって係止溝部の溝壁面２５ａに突起３０を弾圧させる。突起３０を落し込ませる凹部２６を溝壁面２５ａに設ける。【選択図】　　　　図１
0003097708.tif 000002
【実用新案登録請求の範囲】
【請求項１】
ディスクトレイのローディング動作に連動するスライダの横行動作を介し、上記ディスクトレイによりローディングされたディスクが、クランプ機構でクランプされるようになっていて、そのクランプ機構がディスクをクランプしたときに、上記スライダに具備された突起が上記ディスクトレイに具備された横長の係止溝部に嵌合することによりディスクトレイの後退を阻止するようになっているディスクトレイを有するディスク装置において、
上記ディスクトレイが出退可能に取り付けられた筐体に、ディスクトレイのローディング動作の終期にそのディスクトレイの先端により押圧されてそのディスクトレイに押し戻し力を加える板片状部材でなる弾性体が固着されていて、その弾性体の押し戻し力によって上記係止溝部の溝壁面に弾圧されている上記突起を落し込ませる凹部がその溝壁面に備わり、
上記係止溝部は、ディスクトレイのローディング動作によって上記突起を横行方向に案内して上記スライダを横行させる傾斜したカム溝の終部に連続しており、
上記突起の外周面が円筒面であり、上記凹部の深さが上記突起の半径よりも短い寸法になっていると共に、その凹部に対する上記突起の出入りを案内する傾斜面がその凹部に備わっていることを特徴とするディスクトレイを有するディスク装置。
【請求項２】
ディスクトレイのローディング動作に連動するスライダの横行動作を介し、上記ディスクトレイによりローディングされたディスクが、クランプ機構でクランプされるようになっていて、そのクランプ機構がディスクをクランプしたときに、上記スライダに具備された突起が上記ディスクトレイに具備された横長の係止溝部に嵌合することによりディスクトレイの後退を阻止するようになっているディスクトレイを有するディスク装置において、
上記係止溝部に嵌合した上記突起をその係止溝部の溝壁面に弾圧させる手段を備えていると共に、その溝壁面に弾圧している上記突起を落し込ませる凹部がその溝壁面に備わっていることを特徴とするディスクトレイを有するディスク装置。
【請求項３】
上記係止溝部は、ディスクトレイのローディング動作によって上記突起を横行方向に案内して上記スライダを横行させる傾斜したカム溝の終部に連続している請求項２に記載したディスクトレイを有するディスク装置。
【請求項４】
上記突起を上記溝壁面に弾圧させる手段が、ディスクトレイのローディング動作の終期にそのディスクトレイの先端により押圧されてそのディスクトレイに押し戻し力を加える弾性体でなる請求項２又は請求項３に記載したディスクトレイを有するディスク装置。
【請求項５】
上記突起の外周面が円筒面であり、上記凹部の深さが上記突起の半径よりも短い寸法になっている請求項２ないし請求項４のいずれか１項に記載したディスクトレイを有するディスク装置。
【考案の詳細な説明】
【０００１】
【考案の属する技術分野】
本考案は、ディスクトレイを有するディスク装置、特に、ディスクトレイがディスクを搭載してローディング動作を行うと、そのローディング動作に連動して横行するスライダの動作を介してクランプ機構がディスクをクランプするようになっているディスクトレイを有するディスク装置に関する。
【０００２】
【従来の技術】
従来のこの種のディスク装置に用いられているディスクトレイ１０を図７に示してある。同図は、ディスクトレイ１０を裏面（下面）側から見た平面図である。同図のように、このディスクトレイ１０は、その裏面の横方向（幅方向）の一端部と他端部とに、縦方向（前後方向）に延びるラック１１とガイド溝１２とが各別に振り分けて具備されている。また、ガイド溝１２の内側にカム溝２０が形成されている。このカム溝２０はディスクトレイ１０の後端付近に位置して傾斜しており、そのカム溝２０の終部に、ディスクトレイ１０の筐体（不図示）に対する出退方向と直交する方向に延びる係止溝部２５が連続し、かつ、そのカム溝２０の始部には、ディスクトレイ１０の前端付近に導入口２２を備える呼込み溝部２１が連続している。
【０００３】
従来のディスク装置において、図７に示したディスクトレイ１０は筐体に出退可能に取り付けられている。そして、ディスク（不図示）を搭載したディスクトレイ１０は、ラック１１を介して付与される引込み力によって筐体の内部に矢印Ｉのように引き込まれるというローディング動作を行うのに対し、ラック１１を介して付与される押出し力によって筐体の外部へ押し出されるアンローディング動作を行う。
【０００４】
これに対し、上記筐体には、ディスクトレイ１０の引込み方向（矢印Ｉ）に対して直交する方向に横行可能にスライダ（不図示）が取り付けられていて、そのスライダに図７に仮想線で示した突起３０が備わっている。また、スライダの横行動作には、ローディング動作が終了したディスクトレイ１０に搭載されているディスクをクランプしてディスクトレイ１０から浮き上がらせるクランプ機構（不図示）のクランプ動作が連動するようになっている。なお、クランプ機構の要素の１つにターンテーブルがあり、このターンテーブルが回転すると、クランプ機構によってクランプされたディスクがディスクトレイ１０から浮き上がった位置で回転する。
【０００５】
ここで、スライダの横行動作は、ディスクトレイ１０が筐体の内部に引き込まれるのに伴って上記呼込み溝部２１を矢印ａのように通過した突起３０が、傾斜したカム溝２０に導入されてそのカム溝２０を矢印ｂのように移動することによって行われる。そして、突起３０がカム溝２０の終部に達すると、モータによる駆動力がスライダに伝達されてその駆動力によってスライダが横行し、それに伴って突起３０が矢印ｃのように係止溝部２５に引き込まれる。こうして突起３０が係止溝部２５に引き込まれると、ローディング位置からのディスクトレイ１０の後退動作が、突起３０と係止溝部２５の平坦な溝壁面２５ａとの係合作用によって阻止されるようになり、ディスクの回転中にディスクトレイ１０がローディング位置から後退するという事態が防止される。
【０００６】
先行例には、図７で説明した呼込み溝部２１、傾斜したガイド溝２０、係止溝部２５ａの形状や作用についての記載がある（例えば、特許文献１参照）。また、他の先行例には、ディスクトレイのローディング動作に、クランプ機構を動作させるためのスライダを横行動作を連動させることについての記述がある（例えば、特許文献２参照）。
【０００７】
【特許文献１】
特開平１０−２７５３９０号公報
【特許文献２】
特開平１０−２８３７５６号公報
【０００８】
【考案が解決しようとする課題】
しかしながら、図７で説明したディスクトレイ１０を備える従来のディスク装置では、ディスクトレイ１０がローディング動作を行ったときに、クランプ機構を動作させるためのスライダの突起３０が、傾斜したカム溝２０を経た後、平坦な溝壁面２５を有する係止溝部２５に引き込まれるに過ぎないので、ディスクトレイ１０の後退動作が、突起３０と係止溝部２５の平坦な溝壁面２５ａとの係合作用によって阻止されるものであるとしても、ディスクトレイ１０は筐体の内部に引き込まれる動作だけを行ってローディング動作を節度なく終了するので、ディスクトレイ１０のローディング動作の終了を目で見て明確に（はっきりと）確認することができなかった。また、突起３０が、モータの駆動力で係止溝部２５の中に引き込まれるものであるとしても、その突起３０が係止溝部２５の中で横方向に変位することが多々あり、そのような突起３０の横方向変位によってクランプ機構によるクランプ動作が不安定になったり、場合によってはディスクを適正にクランプできないというクランプミス（チャッキングミス）の起こることもあった。
【０００９】
本考案は以上の状況の下でなされたものであり、ディスクトレイのローディング動作に節度を持たせることによって、ディスクトレイのローディング動作の終了を目で見て明確に確認することができ、併せて、係止溝部に引き込まれた突起がその係止溝部の中で横方向変位することを抑制又は阻止することができるようにすることによって、クランプ機構によるクランプ動作が不安定になったりクランプミスを起こしたりすることを防止することのできるディスクトレイを有するディスク装置を提供することを目的とする。
【００１０】
また、本考案は、部品を追加することなく上記目的を達成することのできるディスクトレイを有するディスク装置を提供することを目的とする。
【００１１】
【課題を解決するための手段】
本考案に係るディスクトレイを有するディスク装置は、ディスクトレイのローディング動作に連動するスライダの横行動作を介し、上記ディスクトレイによりローディングされたディスクが、クランプ機構でクランプされるようになっていて、そのクランプ機構がディスクをクランプしたときに、上記スライダに具備された突起が上記ディスクトレイに具備された横長の係止溝部に嵌合することによりディスクトレイの後退を阻止するようになっている。そして、上記係止溝部に嵌合した上記突起をその係止溝部の溝壁面に弾圧させる手段を備えていると共に、その溝壁面に弾圧している上記突起を落し込ませる凹部がその溝壁面に備わっている。
【００１２】
この構成であると、係止溝部に嵌合した突起がその係止溝部の溝壁面に弾圧している状態からその溝壁面の凹部に落ち込むので、突起が凹部に落ち込むときにディスクトレイのローディング動作に節度が付与される。すなわち、ディスクトレイのローディング動作の終期では突起が係止溝部の溝壁面に弾圧していて、ローディング動作が終了した時点で突起が凹部に落ち込むので、ローディング動作によって引き込まれたディスクトレイは、突起が凹部に落ち込んだ瞬間に凹部の深さ分だけ手前側へ後退するという節度を持ったアクションを行う。そのため、そのような節度を持ったディスクトレイのアクションを目で見てディスクトレイのローディング動作の終了を明確に確認することが可能になる。しかも、突起は凹部に落ち込むことによって横方向変位が規制されるので、係止溝部の内部で突起が横方向に変位してクランプ動作が不安定になったりクランプミスを起こしたりするという事態が起こらない。
【００１３】
本考案において、上記係止溝部は、ディスクトレイのローディング動作によって上記突起を横行方向に案内して上記スライダを横行させる傾斜したカム溝の終部に連続していることが望ましい。これによれば、傾斜したカム溝と係止溝部との連続形態が図７で説明した従来のものと同様になっているので、ディスクトレイのローディング動作によって突起がカム溝から係止溝部へ円滑に移動する。
【００１４】
本考案では、上記突起を上記溝壁面に弾圧させる手段が、ディスクトレイのローディング動作の終期にそのディスクトレイの先端により押圧されてそのディスクトレイに押し戻し力を加える弾性体でなる、という構成を採用することが可能である。これによれば、突起を溝壁面に弾圧させる手段の構成が簡略化される。
【００１５】
本考案では、上記突起の外周面が円筒面であり、上記凹部の深さが上記突起の半径よりも短い寸法になっていることが望ましい。これによれば、上記した節度を持ったアクションによるディスクトレイの後退幅が短く抑えられるので、上記弾性体として、弾力性を持った薄肉の板片といったような安価な材料を使用しやすくなり、併せて、ディスクトレイのローディング動作終了時点の位置を、節度を持ったアクションを行う前の位置に近接させることが可能になる。そのため、クランプ機構の動作を従来のものから変更しなければならないというような必要性が生じないという利点がある。また、突起の外周面を円筒面に形成しているので、凹部に突起が落ち込むときや、凹部から突起が乗り出るときの動作が無理なく行われるようになる。この作用は、凹部に傾斜面を具備させてあることによっていっそう顕著に発揮される。
【００１６】
本考案に係るディスクトレイを有するディスク装置は、ディスクトレイのローディング動作に連動するスライダの横行動作を介し、上記ディスクトレイによりローディングされたディスクが、クランプ機構でクランプされるようになっていて、そのクランプ機構がディスクをクランプしたときに、上記スライダに具備された突起が上記ディスクトレイに具備された横長の係止溝部に嵌合することによりディスクトレイの後退を阻止するようになっているディスクトレイを有するディスク装置において、上記ディスクトレイが出退可能に取り付けられた筐体に、ディスクトレイのローディング動作の終期にそのディスクトレイの先端により押圧されてそのディスクトレイに押し戻し力を加える板片状部材でなる弾性体が固着されていて、その弾性体の押し戻し力によって上記係止溝部の溝壁面に弾圧されている上記突起を落し込ませる凹部がその溝壁面に備わり、上記係止溝部は、ディスクトレイのローディング動作によって上記突起を横行方向に案内して上記スライダを横行させる傾斜したカム溝の終部に連続しており、上記突起の外周面が円筒面であり、上記凹部の深さが上記突起の半径よりも短い寸法になっていると共に、その凹部に対する上記突起の出入りを案内する傾斜面がその凹部に備わっている、という構成を採用することが可能である。この考案の作用は、次に説明する実施形態を参照して明らかにする。
【００１７】
【考案の実施の形態】
図１は本考案に係るディスク装置に具備されているディスクトレイ１０を裏面（下面）側から見た平面図、図２は図１のＩＩ−ＩＩ線に沿う部分の概略断面図、図３はスライダ４０の横行動作説明図、図４はスライダ４０の横行動作とクランプ機構の動作とを連動させるための連係箇所を示した説明図、図５は節度を持ったアクションに係る部分の説明図、図６（Ａ）（Ｂ）は他の形状の凹部を備えた溝壁面を示した説明図である。
【００１８】
図１又は図２によって判るように、この実施形態のディスク装置において、従来からの主な変更点は、ディスクトレイ１０の係止溝部２５の溝壁面２５ａに凹部２６を具備させた点、突起３０の外周面が円筒面とし、凹部２５の深さＤを突起３０の半径Ｒよりも短い寸法に定めてある点、凹部２５に対する突起２５の出入りを案内する傾斜面２７をその凹部２５に具備させてある点、ディスクトレイ１０が出退可能に取り付けられた筐体５０に、ディスクトレイ１０のローディング動作の終期にそのディスクトレイ１０の先端１３により押圧されてそのディスクトレイ１０に押し戻し力を加える弾性体６０が固着されている点、である。その他の事項は図７で説明したところと同様であるので、説明の重複を避けるために同一要素に同一符号を付してある。
【００１９】
図１に示した凹部２６は、奥壁面２８と傾斜面２７とが平坦面になっているけれども、この点は、図６（Ａ）のように奥壁面と傾斜面とが１つの円弧面によって形成されていても、同図（Ｂ）のように奥壁面と傾斜面とが１つのＶ字形面によって形成されていてもよい。
【００２０】
図３又は図４のように、スライダ４０はカム溝４１を有し、そのカム溝４１に、ターンテーブルを備えたシャーシに設けられた係合突起４２が嵌合している。そして、ターンテーブルがクランプ機構の１つの要素を形成していて、スライダ４０が横行動作を行うと、カム溝４１に嵌合している係合突起４２がシャーシを伴って上下動する。このような係合突起４２の上下動を介し、クランプ機構（不図示）がディスクトレイに搭載されているディスクをクランプしてディスクトレイから浮かせる。また、スライダ４０にラック４３が備わっているのに対し、筐体側には、モータＭによって駆動される歯車列７０が設置されていて、この歯車列７０の中の１つの歯車がスライダ４０のラック４３に噛合い可能なピニオン７１として形成され、他の１つの歯車がディスクトレイ側のラック１１に噛合い可能なピニオン７２として形成されている。
【００２１】
また、図１に示した弾性体６０は、弾力性を有する軟質樹脂発泡体やゴムの板片状部材でなり、筐体５０の立上り面に接着剤を用いて接合されている。
【００２２】
以上の構成を備えたディスク装置において、ディスクトレイ１０がディスク交換位置、すなわち筐体の外部に突き出した位置に位置しているときには、例えば図３に仮想線で示したように、呼込み溝部２１の導入口２２がスライダ４０の突起３０に臨み、かつ、ラック１１がピニオン７２に離間位置で臨んでいる。この状態からディスクを搭載したディスクトレイ１０を手で少し押し込むことによってラック１１をピニオン７２に噛み合わせると、モータＭによって回転駆動されているピニオン７２とラック１１とを介してディスクトレイ１０に引込み力が付与され、ディスクトレイ１０が図３の矢印Ｉのように引き込まれる。この動作がディスクトレイ１０のローディング動作である。
【００２３】
こうしてディスクトレイ１０のローディング動作が行われると、突起３０が呼込み溝部２１を経て傾斜したカム溝２０に入り、このカム溝２０を突起３０が相対移動してその終部に達するまではスライダ４０が図３矢印ｄのように横行動作を行う。そして、突起３０がカム溝２０の終部に達すると、ラック１１がピニオン７２から外れてディスクトレイ１０の引込みが終了する一方で、ラック４３がピニオン７１に噛み合ってスライダ４０が引続き横行動作を行うので、突起３０が係止溝部２５に嵌合してその係止溝部２５を横行する。これに対し、ディスクトレイ１０の先端１３は、そのローディング動作の終期、具体的には突起３０がカム溝２０の終部に達したときに弾性体６０を押圧している。そのため、突起３０が係止溝部２５を横行するときには、弾性体６０の押し戻し力によって突起３０が係止溝部２５の溝壁面２５ａに弾圧している。そして、突起３０が凹部２６に達して凹部２６に落ち込むときに、ディスクトレイ１０のローディング動作に節度が付与される。すなわち、ディスクトレイ１０のローディング動作の終期では、図５に仮想線で示したように、突起３０が係止溝部２５の溝壁面２５ａに弾圧していて、ローディング動作が終了した時点で図５に実線で示したように突起３０が傾斜面２７に案内されて凹部２６に瞬時に落ち込むので、ローディング動作によって筐体の内部へ引き込まれたディスクトレイ１０は、突起３０が凹部２６に落ち込んだ瞬時に矢印ｅのように凹部２６の深さＤ分だけ手前側へ後退するという節度を持ったアクションを行う。このアクションは、目で見て確認することができるので、ディスクトレイのローディング動作の終了を目で明確に確認することが可能になる。しかも、突起３０は凹部２６に落ち込むことによって横方向変位が規制されるので、係止溝部２５の内部で突起３０が横方向に変位してクランプ動作が不安定になったりクランプミスを起こしたりするという事態が起こらない。突起３０が凹部２６に落ち込んだときに、図３に示したモータＭが停止する。また、突起３０が凹部２６に落ち込んでいるときには、係止溝部２５の溝壁面２５ａ（凹部２６の奥壁面）との係合作用によってディスクトレイ１０の後退動作が阻止されるようになるので、ディスクの回転中にディスクトレイ１０がローディング位置から後退するという事態が防止される。
【００２４】
ディスクトレイのアンローディング動作に際しては、モータＭの逆回転を通じて突起３０が傾斜面２７に案内されて凹部２６から乗り出し、係止溝部２５を横行してカム溝２０に入り、そのカム溝２０を逆行する。そして、突起３０がカム溝２０から呼込み溝部２１に入ると、ラック１１がピニオン７２に噛み合い、ピニオン７２の回転を通じてディスクトレイ１０が筐体の外部へ押し出される。
【００２５】
この実施形態では、突起３０の外周面を円筒面に形成しているので、凹部２６に突起３０が落ち込むときや、凹部２６から突起３０が乗り出るときの動作が無理なく行われる。この作用は、凹部２６に傾斜面２７を形成してあることによっていっそう顕著に発揮される。
【００２６】
【考案の効果】
以上説明したように、本考案によれば、ディスクトレイのローディング動作に節度を持たせることによって、ディスクトレイのローディング動作の終了を目で見て明確に確認することができるようになる。そのため、ユーザに対するローディング動作の信頼性を高めることが可能になる。しかも、係止溝部に引き込まれた突起が凹部に落ち込んだ後では、その突起が係止溝部の中で横方向変位することがなくなるので、クランプ機構によるクランプ動作が不安定になったりクランプミスを起こしたりすることがなくなってクランプ動作の信頼性も向上する。その上、係止溝部の溝壁面に凹部を形成するだけで上記効果を奏し得るので、部品を追加する必要がなくなってコストアップを伴わないという利点もある。
【図面の簡単な説明】
【図１】本考案に係るディスク装置に具備されているディスクトレイを裏面側から見た平面図である。
【図２】図１のＩＩ−ＩＩ線に沿う部分の概略断面図である。
【図３】スライダの横行動作説明図である。
【図４】スライダの横行動作とクランプ機構の動作とを連動させるための連係箇所を示した説明図である。
【図５】節度を持ったアクションに係る部分の説明図である。
【図６】（Ａ）は他の形状の凹部を備えた溝壁面を示した説明図、（Ｂ）はさらに他の形状の凹部を備えた溝壁面を示した説明図である。
【図７】従来のディスク装置に具備されているディスクトレイを裏面側から見た平面図である。
【符号の説明】
１０　ディスクトレイ
２０　カム溝
２５　係止溝部
２５ａ　溝壁面
２６　凹部
２７　傾斜面
３０　突起
４０　スライダ
５０　筐体
６０　弾性体
Ｄ　凹部の深さ
Ｒ　突起の半径
【図１】
0003097708.tif 000003
【図２】
0003097708.tif 000004
【図３】
0003097708.tif 000005
【図４】
0003097708.tif 000006
【図５】
0003097708.tif 000007
【図６】
0003097708.tif 000008
【図７】
0003097708.tif 000009